(57)【要約】　　　（修正有）【課題】ディスク収納部内に収納されるディスク状記録媒体の外径に対してカートリッジ本体の外形寸法を必要最小限の大きさにして、高記録密度化、高記録容量化に対応する。【解決手段】樹脂材料によって形成された一組の上ハーフ１１と下ハーフ１２とを組み合わせてなるカートリッジ本体６と、このカートリッジ本体６の内部に設けられたディスク収納部内に回転自在に収納された光磁気ディスク５と、上ハーフ１１および下ハーフ１２に支持される金属板２５とを備える。そして、金属板２５は、内面がディスク収納部の内周面をなすとともに、外面がカートリッジ本体６の外部に露出されてカートリッジ本体６の外周面をなす。【選択図】　図１
2004013921.tif 000002
【特許請求の範囲】
【請求項１】
樹脂材料によって形成された一組の上ハーフと下ハーフとを組み合わせてなるカートリッジ本体と、前記カートリッジ本体の内部に設けられたディスク収納部内に回転自在に収納されたディスク状記録媒体とを備えるディスクカートリッジにおいて、
前記上ハーフおよび下ハーフの少なくとも一方に支持される金属板を備え、
前記金属板は、一側面が前記ディスク収納部の内周面をなすとともに、前記一側面の裏面が前記カートリッジ本体の外部に露出されて前記カートリッジ本体の外周面をなすことを特徴とするディスクカートリッジ。
【請求項２】
前記金属板は、前記カートリッジ本体の外部に露出する複数の露出部分を有する請求項１記載のディスクカートリッジ。
【請求項３】
前記露出部分は、前記カートリッジ本体の側面の略中央に位置する請求項２に記載のディスクカートリッジ。
【請求項４】
前記金属板は、前記上ハーフおよび前記下ハーフの少なくとも一方に複合成形により一体化された請求項１ないし３のいずれか１項に記載のディスクカートリッジ。
【請求項５】
前記金属板は、前記ディスク状記録媒体の情報記録面に平行な主面部と、該主面部に直交する側壁部とを有し、前記側壁部の外面が前記カートリッジ本体の外部に露出された請求項１ないし４のいずれか１項に記載のディスクカートリッジ。
【請求項６】
前記金属板は、前記上ハーフおよび前記下ハーフの少なくとも一方に複合成形され、前記主面部が、前記カートリッジ本体の外面側で樹脂材料によって被覆された請求項５に記載のディスクカートリッジ。
【発明の詳細な説明】
【０００１】
【発明の属する技術分野】
本発明は、情報信号の記録媒体として例えば光ディスク、光磁気ディスク等のディスク状記録媒体を回転自在に収納したディスクカートリッジに関する。
【０００２】
【従来の技術】
従来、情報信号の記録及び／又は再生が可能なディスク状記録媒体としては、例えば光ディスクや光磁気ディスクが知られている。一般に、この種のディスク状記録媒体が回転自在に収納されたディスクカートリッジは、例えば特開平６−３０９８３１号公報などに開示されているように、合成樹脂材料で成形した方形をなす略々浅皿状に形成された上ハーフと下ハーフとを組み合わせて構成したカートリッジ本体の内部に光ディスクを回転自在に収納されている。
【０００３】
上ハーフと下ハーフの相対向する内面には、円弧壁として形成されるとともに互いに突合わされてディスク収納部を構成する収納部形成壁と、複数個の突合せ嵌合突起とがそれぞれ一体に立設されており、上ハーフと下ハーフは、これら立上り周壁および各収納部形成壁をそれぞれ突合せるようにして組立てるとともに各突合せ嵌合突起を嵌合してこれらを超音波溶着などによって一体化される。
【０００４】
そして、このようなディスクカートリッジにあっては、光ディスクの表面がカートリッジ本体の内面に直接摺接されることを防止する必要がある。このため、ディスクカートリッジは、カートリッジ本体内に、収納部形成壁を突合せて構成されるディスク収納部の内径を、このディスク収納部内に収納される光ディスクの外径よりも大径にするとともに、収納部形成壁の立上り高さも光ディスクの厚みよりも大とされている。
【０００５】
一方で、最近の光ディスクは、小径化、高記録密度化、高記録容量化が進み、記録再生装置に対しても小型化が要求されている。特に携帯型の記録再生装置においては、ディスクカートリッジの投影面積が、記録再生装置全体の大きさを決定する要因になる。すなわち、記録再生装置全体の小型化を図る上で、カートリッジ本体の大きさが支配的であるため、内部に収納する光ディスクの外径に対して、カートリッジ本体の主面の投影面積をできるだけ小さくすることが必要とされている。
【０００６】
【発明が解決しようとする課題】
ところで、従来のディスクカートリッジでは、立上り周壁と収納部形成壁とがほぼ同じ厚みの壁として形成されている。したがって、ディスクカートリッジの外形の大きさは、収納される光ディスクの外径と、必要なクリアランスと、立上がり周壁の厚みとで決定されるため、立上がり周壁が合成樹脂材料により一体に形成された場合、収納される光ディスクの外径に対してディスクカートリッジが大きくなってしまう。
【０００７】
また他方で、ディスクカートリッジの大きさを先に設定した場合には、カートリッジ本体の外形寸法から所定の立上り周壁の厚みと所定のクリアランスを確保して、光ディスクの外径が決まる。このため、立上り周壁の厚みは、光ディスクの外径を決定し、光ディスクの情報の記録容量を決定する上で極めて重要な値となる。上下ハーフに合成樹脂材料で一体に形成される立上り周壁の厚みを小さくすることは、成形上および機械的な強度上の問題があり、従来に比べて大幅に減らすことが非常に困難であり、収納される光ディスクの外径に対して無駄な投影面積が大きいディスクカートリッジとなっていた。
【０００８】
そこで、本発明は、ディスク収納部内に収納されるディスク状記録媒体の外径に対してカートリッジ本体の外形寸法を必要最小限の大きさにすることを可能にし、ディスク状記録媒体の高記録密度化、高記録容量化に対応したディスクカートリッジを提供することを目的とする。
【０００９】
【課題を解決するための手段】
上述した目的を達成するため、本発明に係るディスクカートリッジは、樹脂材料によって形成された一組の上ハーフと下ハーフとを組み合わせてなるカートリッジ本体と、このカートリッジ本体の内部に設けられたディスク収納部内に回転自在に収納されたディスク状記録媒体とを備えるディスクカートリッジであって、上ハーフおよび下ハーフの少なくとも一方に支持される金属板を備える。そして、金属板は、一側面がディスク収納部の内周面をなすとともに、一側面の裏面がカートリッジ本体の外部に露出されてカートリッジ本体の外周面をなす。
【００１０】
以上のように構成された本発明のディスクカートリッジによれば、樹脂材料に比して剛性が高い金属板によって、ディスク収納部の周壁とカートリッジ本体の外周壁が形成されるため、これらディスク収納部の周壁とカートリッジ本体の外周壁を樹脂材料によって形成する場合に比較して、周壁および外周壁の厚みを薄くすることが可能になる。このため、このディスクカートリッジによれば、カートリッジ本体において周壁および外周壁の厚みが占めるスペースを、ディスク収納部内のスペースとして有効利用することが可能になる。
【００１１】
したがって、本発明に係るディスクカートリッジによれば、ディスク収納部内に収納されるディスク状記録媒体の外径に対して、カートリッジ本体の外形寸法が必要最小限の大きさに形成されて、カートリッジ本体の外形寸法を小さくすること、あるいはディスク状記録媒体の外径を大きくすることが可能になるため、高記録密度化、高記録容量化に対応したディスクカートリッジを提供できる。また、ディスク記録媒体の高記録密度化、高記録容量化を図ることが可能になる。
【００１２】
また、本発明に係るディスクカートリッジが備える金属板は、上ハーフあるいは下ハーフの少なくとも一方と複合成形により一体化されることが好ましい。これによって、金属板とハーフとの接合強度を向上することが可能になるとともに、金属板とハーフとの組付け工程を省くことが可能になる。
【００１３】
さらに、本発明に係るディスクカートリッジが備える金属板は、ディスク状記録媒体の情報記録面と平行な主面部と、この主面部に直交する側壁部とを有し、側壁部の外面がカートリッジ本体の外部に露出されることが好ましい。これによって、金属板の主面部が樹脂材料からなる部分と重なり合うことにより、上ハーフおよび下ハーフの少なくとも一方の機械的強度が向上し、信頼性が高いディスクカートリッジを提供することが可能になる。
【００１４】
【発明の実施の形態】
以下、本発明の実施形態について図面を参照して説明する。
【００１５】
（第１の実施形態）
図１〜図４に本発明のディスクカートリッジの第１の実施形態を示し、図１にディスクカートリッジの斜視図、図２にディスクカートリッジの分解斜視図、図３に下ハーフの斜視図、図４に下ハーフの平面図を示す。
【００１６】
図１および図２に示すように、ディスクカートリッジは、情報信号が記録再生される光磁気ディスク５と、この光磁気ディスク５が回転自在に収納されるカートリッジ本体６とを備えている。
【００１７】
光磁気ディスク５は、主面の中央に、中心穴５ａが設けられており、この中心穴５ａ内に、図示しない記録再生装置側のディスクテーブル上に載置されるセンタハブ５ｂが設けられている。
【００１８】
カートリッジ本体６は、例えばポリカーボネート等の合成樹脂材料によって成形された方形をなす略々浅皿状の上ハーフ１１と下ハーフ１２を組み合わせてなる。
【００１９】
上ハーフ１１には、光磁気ディスク５から情報を再生する磁気ヘッド（不図示）をカートリッジ本体内に進入させるための磁気ヘッド進入用開口部１４が設けられている。また、下ハーフ１２には、磁気ヘッド進入用開口部１４に対向する位置に、光磁気ディスク５のセンタハブ５ｂが載置されるディスクテーブルをカートリッジ本体６内に進入させるためのディスクテーブル進入用開口部１５と、光磁気ディスク５に情報を記録する光学ヘッドを光磁気ディスク５の情報記録領域に臨ませるための光学ヘッドアクセス用開口部１６とが連設されている。
【００２０】
また、カートリッジ本体６の一側には、磁気ヘッド進入用開口部１４、ディスクテーブル進入用開口部１５および光学ヘッドアクセス用開口部１６を開閉するシャッタ１７が移動可能に設けられている。また、カートリッジ本体６には、シャッタ１７の開閉動作を規制するためのシャッタロック部材１８が設けられている。さらに、カートリッジ本体６には、光磁気ディスク５に誤って情報を上書きして情報を消去することを防止するための誤消去防止部材１９がスライド可能に設けられている。
【００２１】
そして、上ハーフ１１および下ハーフ１２には、互いに突合わされてカートリッジ本体６の外周壁を構成する立上り周壁２１が、外周に沿ってそれぞれ立設されている。また、上ハーフ１１および下ハーフ１２の内面には、光磁気ディスク５を回転自在に収納するための略円形状のディスク収納部２０が形成されている。これら上ハーフ１１および下ハーフ１２の相対向する内面上には、ディスク収納部２０の収納部形成壁を構成する円弧壁２２が、立上り周壁２１に内接されて一体に形成されている。
【００２２】
また、上ハーフ１１および下ハーフ１２には、シャッタ１７が設けられた側面以外の３つの側面の長手方向の略中央に、立上り周壁２１の一部を切り欠いた切欠き２３がそれぞれ形成されている。すなわち、上ハーフ１１および下ハーフ１２には、各円弧壁２２の間に位置する立上り周壁２１の一部に、切欠き２３が対向してそれぞれ形成されている。これら各切欠き２３は、上下ハーフ１１，１２の主面側に位置する、立上り周壁２１の基端側の一部を残すように切り欠かれている。
【００２３】
そして、カートリッジ本体６には、上ハーフ１１と下ハーフ１２が結合されたときに組み合わされる一対の切欠き２３によって切欠き部２４が構成されている。各切欠き部２４には、ディスク収納部２０の収納部形成壁の一部を構成する金属板２５がそれぞれ設けられている。金属板２５は、図２に示すように、長手方向の両端側がそれぞれ折曲された形状をしており、切欠き部２４を閉塞するに足る大きさに形成されている。
【００２４】
また、上下ハーフ１１，１２の内面上には、各切欠き２３に隣接する位置に、金属板２５の両端側に係合する係合突起２７がそれぞれ形成されている。したがって、金属板２５は、各係合突起２７と、切欠き２３の長手方向の両端に位置する周壁端部２８とによって係合されて固定されている。
【００２５】
さらに、上ハーフ１１と下ハーフ１２には、各隅部近傍の内面上に、複数個の突合せ嵌合突起３０がそれぞれ一体に立設されている。上ハーフ１１と下ハーフ１２は、これら立上り周壁２１および各円弧壁２２とを突合せるようにして組み合わせられて、各突合せ嵌合突起３０を嵌合し、これら各突合せ嵌合突起３０が超音波溶着などによって接合されて結合されている。
【００２６】
したがって、上下ハーフ１１，１２が結合されたカートリッジ本体６には、図３に示すように、金属板２５の内面２５ａと各上下ハーフ１１，１２に一体に設けられた円弧壁２２とによって、ディスク収納部２０の収納部形成壁が連続的に形成されている。また、カートリッジ本体６に組み付けられた金属板２５は、内面２５ａの裏側の外面２５ｂが、カートリッジ本体６の外部に露出されており、立上り周壁２１の外面とほぼ同一平面上に位置するように配置されている。
【００２７】
また、図４に示すように、光磁気ディスク５が全周に亘って金属板２５および円弧壁２２に対して所定の間隙ｃをもって収納され、ディスクカートリッジ１の外周壁は、厚みが最も薄い所である各側面の略中央で、金属板２５の厚みｔのみになるため、合成樹脂材料によって形成した場合に比べて非常に薄くされている。
【００２８】
第１の実施形態では、略方形のディスクカートリッジ１の４側面のうち、シャッタ１７が摺動されない３側面に切欠き部２４が設けられ、この切欠き部２４に金属板２５が挿入されることにより、カートリッジ本体６が最も効果的に小さくされているが、３側面の全てではなく必要な１側面だけに採用してもよい。また、本実施形態では、３つの金属板２５を同一の形状にすることで、部品コストを低減することができる。
【００２９】
以上のように構成されたディスクカートリッジ１は、記録再生装置内に装着された際に、シャッタ部材１７が移動されることにより、磁気ヘッド進入用開口部１４、テーブル進入用開口部１５および光学ヘッドアクセス用開口部１６が開放される。そして、ディスクカートリッジ１は、回転駆動された光磁気ディスク５に対して情報の記録再生が行われる。
【００３０】
上述したように、ディスクカートリッジ１によれば、樹脂材料に比して剛性が大きな金属板２５によって、ディスク収納部２０の収納部形成壁の内周面とカートリッジ本体６の立上り周壁２１の外周面が形成されるため、これら収納部形成壁と立上り周壁２１が一体になった３側面の略中央部が樹脂材料によって形成される場合に比較して、側面の略中央部の厚みを薄くすることが可能になる。このため、このディスクカートリッジ１によれば、カートリッジ本体６の側面の略中央において立上り周壁および外周壁の厚みが占めるスペースを、ディスク収納部２０内のスペースとして有効利用することが可能になる。
【００３１】
すなわち、ディスクカートリッジ１は、カートリッジ本体６の対向する両側面間の幅を、樹脂材料によって形成された従来の立上り周壁の厚みと金属板２５の厚みｔとの差分の２倍の寸法だけ削減されており、ディスク収納部２０内に収納される光磁気ディスク５の外径に対してカートリッジ本体６の外形寸法を必要最小限の大きさにすることが可能になり、高記録密度化、高記録容量化に対応した投影面積が小さいディスクカートリッジ１を得ることができる。換言すれば、このディスクカートリッジ１によれば、カートリッジ本体６の外形寸法を大きくすることなく、カートリッジ本体６内に収納される光磁気ディスク５の外径を大きくすることが可能になるため、光磁気ディスク５の高記録密度化、高記録容量化を図ることができる。
【００３２】
（第２の実施形態）
次に、第２の実施形態では、図１に示した３つの金属板２５が一体に形成された構成である。図５に、第２の実施形態のディスクカートリッジが備える下ハーフおよび金属板の分解斜視図を示す。図５中の上方に、下ハーフに組み付けられる金属板を単体で示し、図５中の下方に、斜線で示す金属板が組み付けられ下ハーフを示す。第２の実施形態において、第１の実施形態と同一の機能を有する部材には同一符号を付して重複する説明を省略する。
【００３３】
第２の実施形態のディスクカートリッジは、図５に示すように、カートリッジ本体を構成する下ハーフ３２と、この下ハーフ３２に組み付けられて、立上り周壁２１の一部およびディスク収納部２０の収納部形成壁の一部をなす金属板３５とを備えている。
【００３４】
下ハーフ３２の隅部近傍の内面上には、ディスク収納部２０の収納部形成壁を構成する円弧壁３３が、一体に形成されている。また、円弧壁３３は、長手方向の端部３４と、立上り周壁２１の周壁端部２８との間に、金属板３５が挿入される所定の間隙をあけて形成されている。また、下ハーフ３２には、金属板３５の長手方向の両端に対応する位置のみに、金属板３５に係合される係合突起３８がそれぞれ形成されている。したがって、この下ハーフ３２によれば、下ハーフ１２に比較して係合突起の個数が削減されるとともに、下ハーフ３２に１つの金属板３５のみを組み付ければよいので、下ハーフに金属板を組み付ける工程の簡素化が図られる。
【００３５】
なお、図示しないが、この下ハーフ３２に組み合わされてカートリッジ本体を構成する上ハーフには、下ハーフ３２と同様の円弧壁、係合突起がそれぞれ形成されている。
【００３６】
金属板３５は、長手方向の複数の箇所で折曲された略Ｃ字状に形成されており、下ハーフ３２の切欠き２３に対応する各側壁部３６が連結部３７を介して連結されている。また、各側壁部３６は、切欠き部２４を閉塞するに足る大きさに形成されている。すなわち、この金属板３５は、第１の実施形態の各金属板２５が長手方向に連結されて一体に形成された構成である。
【００３７】
そして、金属板３５は、上述した第１の実施形態とほぼ同様に、立上り周壁２１の周壁端部２８と円弧壁３３の端部３４との間に挿入されて、係合突起３８に係合されて固定されている。カートリッジ本体に組み付けられた金属板３５は、外面が、立上り周壁２１の外面とほぼ同一平面上に位置するように配置されている。
【００３８】
上述したように、本実施形態のディスクカートリッジによれば、３箇所の各切欠き部２４が１つの金属板３５によって閉塞されて、収納部形成壁が形成されるため、部品点数が削減されて、組立が容易になり、ディスクカートリッジの製造コストを低減することが可能になる。また、本実施形態のディスクカートリッジによれば、金属板３５が収納部形成壁を半周以上に亘って連続的に形成することで、下ハーフ３２およびカートリッジ本体の機械的強度を向上することができる。
【００３９】
（第３の実施形態）
最後に、合成樹脂製の下ハーフと金属板とがインサート成形等の複合成形によって一体化された第３の実施形態のディスクカートリッジについて説明する。第３の実施形態のディスクカートリッジは、下ハーフに一体化された金属板を除く基本構成が、上述のディスクカートリッジ１とほぼ同一であるため、下ハーフの同一部位には同一符号を付して説明を省略する。
【００４０】
図６に、第３の実施形態のディスクカートリッジが備える下ハーフおよび金属板の分解斜視図を示す。図６中の上方に、下ハーフに複合成形される金属板を単体で示し、図６中の下方に、斜線で示す金属板が一体化された下ハーフを示す。なお、図示しないが、第３の実施形態のディスクカートリッジは、第１の実施形態のディスクカートリッジ１のカートリッジ本体６を構成した上ハーフ１１を備えている。
【００４１】
図６に示すように、本実施形態のディスクカートリッジは、金属板４５と樹脂材料とが複合成形された下ハーフ４２を備えている。
【００４２】
金属板４５は、光磁気ディスク４の情報記録面と平行な主面部４６と、この主面部４６に直交する側壁部４７とを有している。主面部４６は、光磁気ディスク５の外径よりやや大きな略円板状に形成されている。主面部４６には、ディスクテーブル進入用開口部１５および光学ヘッドアクセス用開口部１６に対応して、これら開口部１５，１６よりやや大きな略Ｕ字形の切欠き４８が設けられている。側壁部４７は、上ハーフ１１側の切欠き２３に対応する３箇所に、主面部４６の外周部の円弧に接するように曲げ起こされて形成されている。各側壁部４７は、上ハーフ１１側の切欠き２３を閉塞するに足る大きさに形成されている。
【００４３】
そして、金属板４５が一体成形された下ハーフ４２は、主面部４６によってディスク収納部２０の底面が形成され、各側壁部４７によってディスク収納部２０の収納部形成壁および立上り周壁２１の一部が形成されている。また、下ハーフ４２に一体化された金属板４５は、下ハーフ４２の外面に露出されないように複合成形されており、側壁部４７の外面が立上り周壁２１の外面とほぼ同一平面上に位置するように配置されている。
【００４４】
そして、以上のように構成された下ハーフ４２は、上ハーフ１１に組み合わされる際に、金属板４５の側壁部４７が、上ハーフ１１側の係合突起２７と周壁端部２８に係合されて切欠き２３が塞がれる。
【００４５】
上述したように、本実施形態のディスクカートリッジによれば、金属板４５が複合成形によって下ハーフ４２に一体化されて接合されているため、上述した第１および第２の実施形態で必要であった金属板を下ハーフに組み付ける工程が省かれて組立工程が簡素化されるとともに、下ハーフと金属板とを更に強固に結合することができる。
【００４６】
また、本実施形態のディスクカートリッジによれば、金属板４５の主面部４６が、下ハーフ４２の合成樹脂材料からなる部分と広く重なり合うことにより、上ハーフ１１に比較して各ディスクテーブル進入用開口部１５および光学ヘッドアクセス用開口部１６が占める領域が大きな下ハーフ４２の機械的強度を向上させることができる。
【００４７】
なお、本実施形態では、下ハーフ側に金属板が複合成形されたが、上ハーフ側に適用されてもよい。また、上述した金属板４５は、主面部４６が、光磁気ディスク５の外径よりやや大きく形成されたが、収納部形成壁を形成するために必要な側壁部を有する形状であれば他の形状に形成されてもよい。
【００４８】
また、上述した第１および第２の実施形態では、各金属板２５，３５が上下ハーフ１１，１２，３２に係合されて支持される構成にされたが、一方のハーフあるいは上下ハーフにそれぞれ複合成形によって一体化された構成にしてもよい。
【００４９】
【発明の効果】
上述したように、本発明に係るディスクカートリッジによれば、一側面がディスク収納部の内周面をなすとともに、この一側面の裏面がカートリッジ本体の外部に露出されてカートリッジ本体の外周面をなすことによって、ディスク収納部内に収納されるディスク状記録媒体の外径に対してカートリッジ本体の外形寸法を必要最小限の大きさにすることが可能になり、高記録密度化、高記録容量化に対応した投影面積が小さいディスクカートリッジを提供することができる。
【００５０】
また、本発明に係るディスクカートリッジによれば、金属板が、上ハーフおよび下ハーフの少なくとも一方と複合成形により固定支持されたことにより、金属板と樹脂材料との接合強度が向上されるばかりでなく、組立作業の簡素化が図られるため、ディスクカートリッジの製造コストを低減することができる。
【００５１】
さらに、本発明に係るディスクカートリッジによれば、金属板が、ディスク状記録媒体の情報記録面と平行な主面部と、この主面部に直交する側壁部とを有し、側壁部がカートリッジ本体の外部に露出されたことによって、主面部が樹脂材料からなる部分と重なり合うことにより、上ハーフおよび下ハーフの少なくも一方の機械的強度が向上し、信頼性が高いディスクカートリッジを提供することができる。
【図面の簡単な説明】
【図１】本発明に係る第１の実施形態のディスクカートリッジを示す分解斜視図である。
【図２】前記ディスクカートリッジを示す分解斜視図である。
【図３】前記ディスクカートリッジが備える下ハーフを示す分解斜視図である。
【図４】前記下ハーフを示す平面図である。
【図５】本発明に係る第２の実施形態のディスクカートリッジが備える下ハーフおよび金属板を示す分解斜視図である。
【図６】本発明に係る第３の実施形態のディスクカートリッジが備える下ハーフおよび金属板を示す分解斜視図である。
【符号の説明】
１　ディスクカートリッジ
５　光磁気ディスク
６　カートリッジ本体
１１　上ハーフ
１２　下ハーフ
１４　磁気ヘッド挿入用開口部
１５　ディスクテーブル進入用開口部
１６　光学ヘッドアクセス用開口部
２５　金属板
２０　ディスク収納部
２１　立上り周壁
２２　円弧壁
２３　切欠き
２４　切欠き部
２５　金属板
２５ａ　内面
２５ｂ　外面
２７　係合突起
２８　周壁端部
３０　突合せ嵌合突起
３２　下ハーフ
３３　円弧壁
３４　端部
３５　金属板
３６　側壁部
３７　連結部
３８　係合突起
４２　下ハーフ
４５　金属板
４６　主面部
４７　側壁部
４８　切欠き
【図１】
2004013921.tif 000003
【図２】
2004013921.tif 000004
【図３】
2004013921.tif 000005
【図４】
2004013921.tif 000006
【図５】
2004013921.tif 000007
【図６】
2004013921.tif 000008